(57)【要約】【課題】使用時における安定感を向上させ、首及び肩にかかる負荷を軽減する吊り枕を提供する。【解決手段】この吊り枕１０は、載置部１と、載置部１から所定の間隔をおいて立設する一対の支持部３と、一対の支持部３の間に配置された側枠４と、シート状の枕部５と、を備えた吊り枕であって、枕部５は、一対の支持部３及び側枠４に、少なくとも３箇所以上又は連続して接続され、側枠４には一対の支持部３より上方で接続されている。【選択図】      図１０
2016165462.tif 000002
【特許請求の範囲】
【請求項１】
載置部と、載置部から所定の間隔をおいて立設する一対の支持部と、一対の支持部の間に配置された側枠と、シート状の枕部と、を備えた吊り枕であって、枕部は、一対の支持部及び側枠に、少なくとも３箇所以上又は連続して接続され、側枠には一対の支持部より上方で接続されている吊り枕。
【請求項２】
載置部と、載置部から立設する支柱と、この支柱に連結されており、所定の間隔をおいて配置された一対の支持部と、一対の支持部の間に配置された側枠と、シート状の枕部と、を備えた吊り枕であって、枕部は、一対の支持部及び側枠に、少なくとも３箇所以上又は連続して接続され、側枠には一対の支持部より上方で接続されている吊り枕。
【請求項３】
枕部は、支持部及び側枠の少なくとも一方の任意の高さに接続可能である請求項１又は２に記載の吊り枕。
【請求項４】
両端が、一対の支持部に接続され、枕部に沿って配置される補助部を更に備える請求項１から３のいずれかに記載の吊り枕。
【請求項５】
支持部又は側枠に設けられ、頭及び顔を覆う可動間仕切りを更に備えた請求項１から４のいずれかに記載の吊り枕。
【請求項６】
枕部又は補助部は、頭が載置される面に物品が収納可能な収納部を更に備える請求項１から５のいずれかに記載の吊り枕。
【発明の詳細な説明】
【技術分野】
【０００１】
本発明は、吊り枕に関するものである。
【背景技術】
【０００２】
従来から吊り枕はあったが、一対の両支持部からＵ字状に吊り下げるベルト状のものであった（例えば、特許文献１参照）。
【先行技術文献】
【特許文献】
【０００３】
【特許文献１】特開２００５−３２３６３３号公報
【発明の概要】
【発明が解決しようとする課題】
【０００４】
使用者が従来の吊り枕を使用する際には、枕部が左右からＵ字状に吊り下げるベルト状の構造となっているため、頭頂部方向が解放されていて、頭が頭頂部側にずり落ちる原因になった。そのため頸椎が自然な湾曲を持続して保持することが困難で、使用者の首及び肩まわりに緊張感や負荷を与えていた。
【０００５】
また同様に、枕部が左右からＵ字状に吊り下げるベルト状の構造のため前後方向に揺動が生じやすく、枕に頭を載置している時に安定感がなかった。首は常に、頭を一定の位置に保つように調整しようとするので、突発的な頭の揺動は使用者の首及び肩に緊張感や負荷を与えていた。
【０００６】
本発明は、使用時における安定感を向上させ、首及び肩にかかる負荷を軽減する吊り枕を提供することを目的とする。
【課題を解決するための手段】
【０００７】
本発明は、上記従来の問題に鑑み、案出されたもので、請求項１に記載の本発明は、載置部と、載置部から所定の間隔をおいて立設する一対の支持部と、一対の支持部の間に配置された側枠と、シート状の枕部と、を備えた吊り枕であって、枕部は、一対の支持部及び側枠に、少なくとも３箇所以上又は連続して接続され、側枠には一対の支持部より上方で接続されている吊り枕であることを特徴としている。
【０００８】
請求項２に記載の本発明は、載置部と、載置部から立設する支柱と、この支柱に連結されており、所定の間隔をおいて配置された一対の支持部と、一対の支持部の間に配置された側枠と、シート状の枕部と、を備えた吊り枕であって、枕部は、一対の支持部及び側枠に、少なくとも３箇所以上又は連続して接続され、側枠には一対の支持部より上方で接続されている吊り枕であることを特徴としている。
【０００９】
請求項３に記載の本発明は、枕部は、支持部及び側枠の少なくとも一方の任意の高さに接続可能である請求項１又は２に記載の吊り枕であることを特徴としている。
【００１０】
また、請求項４に記載の本発明は、両端が、一対の支持部に接続され、枕部に沿って配置される補助部を更に備える請求項１から３のいずれかに記載の吊り枕であることを特徴としている。
【００１１】
また、請求項５に記載の本発明は、支持部又は側枠に設けられ、頭及び顔を覆う可動間仕切りを更に備えた請求項１から４のいずれかに記載の吊り枕であることを特徴としている。  
【００１２】
また、請求項６に記載の本発明は、枕部又は補助部は、頭が載置される面に物品が収納可能な収納部を更に備える請求項１から５のいずれかに記載の吊り枕であることを特徴としている。
【発明の効果】
【００１３】
本発明によれば、使用時における安定感を向上させ、首及び肩にかかる負荷を軽減する吊り枕を提供することができる。
【図面の簡単な説明】
【００１４】
【図１】本発明の第１の実施形態に係る吊り枕の斜視図である。
【図２】同、実施形態に係る吊り枕の使用態様を示す斜視図である。
【図３】同、実施形態に係る吊り枕の変形例の斜視図である。
【図４】本発明の第２の実施形態に係る吊り枕の斜視図である。
【図５】本発明の第３の実施形態に係る吊り枕の斜視図である。
【図６】本発明の第４の実施形態に係る吊り枕の使用態様を示す側面図である。
【図７】第４実施形態に係る吊り枕の変形例の使用態様を示す側面図である。
【図８】本発明の第５の実施形態に係る枕部の平面図である。
【図９】同、実施形態に係る補助部の斜視図である。
【図１０】本発明の第６の実施形態に係る吊り枕の斜視図である。
【発明を実施するための形態】
【００１５】
以下、本発明による実施形態を、図面に基づいて詳細に説明すれば、図１は、本発明の第１の実施形態を示すが、吊り枕１０は、載置部１と、載置部１から立設する支柱２と、この支柱２に連結されており、所定の間隔をおいて配置された一対の支持部３と、一対の支持部３の間に配置された側枠４と、シート状の枕部５と、を備えた吊り枕１０であって、枕部５は、一対の支持部３及び側枠４に、少なくとも３箇所以上又は連続して接続され、側枠４には一対の支持部３より上方で接続されている。
【００１６】
図２には、本発明の吊り枕１０の使用態様を示すが、使用者が枕部５に頭を載置して吊り枕１０を使用する事で、枕部５が、首の後ろにある抗重力筋に代わり頭を引き上げるため、首にかかる負荷は軽微なものとなる。
【００１７】
図３は本発明の吊り枕１０の実施形態に係る変形例を示すが、枕部５は一対の支持部３及び、一対の支持部３より上方の側枠４に、連続して接続されている。
【００１８】
図４は、本発明の吊り枕１０の実施形態に係る変形例を示すが、枕部５は側枠４の任意の高さに、高さ調節具６により接続可能である。それにより、枕部５は、載置部１から１ｃｍから１０ｃｍ程度の高さ及び傾斜角を調節することが可能となる。
【００１９】
図５は、本発明の第３の実施形態を示すが、両端が、一対の支持部３に接続され、枕部５に沿って配置される補助部７を更に備えているので、補助部７を枕部５の下に重ね合わせて配置した状態で、前後にスライドさせ摺動し、重ね方の調整で、枕部５の傾斜角や形状を自由に形成することが可能である。そのため、頭の大きさや形、全身の骨格などが相違していても、使用者に応じた枕の形状及び角度を形成することが可能である。
【００２０】
枕部５及び補助部７は、布やタオル地などのシートが望ましく、使用者の頭を載置する枕部５の高さを調節するには、これらのシートの長さの調節によっても可能である。その方法はまた、ホックやクリップを含む各種留め具や、ひもや接着テープを含む各種調節具で対処することも可能である。
【００２１】
図６は、本発明の第４の実施形態を示しており、支柱２又は側枠４に設けられ、着脱自在に取り付け可能な、頭及び顔を覆う可動間仕切り８１を更に備えている。この可動間仕切り８１は、取り付け位置で回動可能とされている。可動間仕切り８１は、少なくとも２本の骨部８Ａと、これらの骨部８Ａの間に張られる覆い部８Ｂとを有している。間仕切りが不要時には、覆い部８Ｂを上方或いは後方に折畳む等移動することが可能であり、使用時には広げられた状態で保持されるように、覆い部８Ｂの位置を調整できる構造となっている。
【００２２】
図７は、本発明の第４の実施形態の変形例を示しており、支柱２又は側枠４に設けられた着脱自在に取り付け可能な頭及び顔を覆う可動間仕切り８２は、少なくとも２本の骨部８Ａと、これらの骨部８Ａの間に張られる覆い部８Ｂと、覆い部８Ｂの端部に掛合されたカーテン部８Ｃで構成されている。この覆い部８Ｂは、取り付け位置で回動可能とされていて、カーテン部８Ｃは掛合部で開閉可能となっている。
【００２３】
図６及び図７に示すように、吊り枕１０の可動間仕切り８１及び８２を使用すると、太陽や電灯などの光を遮断することが可能となり、又室外及び室内での騒音を抑制する効果が得られる。さらに、空気中のほこりやウイルス、花粉等の口や鼻からの吸入を軽減し、また冬の冷気や乾燥から肌を保護し、精神的な安定をも得る効果が期待できる。
【００２４】
また、可動間仕切り８１と可動間仕切り８２の形態は一例であり、他にも様々な構造及びデザインの可動間仕切りがあるが、それらはいずれも支柱２又は支持部３に設けられ、開閉可能な構造なので、使用者が枕部５に頭を載置する際には枕部５の上方を解放させた状態にし、頭を載置した後に可動間仕切り８１又は可動間仕切り８２を使用することが望ましい。
【００２５】
さらには、枕部５並びに補助部７は着脱自在に取り付け可能な構造なので、これらを取り外して、可動間仕切り８１又は可動間仕切り８２のみを単独で使用することも可能である。
【００２６】
さらに、可動間仕切り８１及び可動間仕切り８２の骨部８Ａと覆い部８Ｂの構造に強度をもたせ、材質を金属や木材などを使用して硬度や耐圧性をもたせることにより、地震や災害での落下物から頭及び顔を保護する事が可能となり、防災対策としての効果も期待できる。
【００２７】
図８は、本発明の第５の実施形態に係る枕部の形状を示しており、枕部５に物品が収納可能な収納部９を更に備えている。そのため、マイナスイオンの発生するシートやマグネット、指圧具、冷却具等、様々な物品が収納可能である。
【００２８】
図９は、本発明の第５の実施形態に係る補助部の形状を示しており、補助部７に物品が収納可能な収納部９を備えている。上記のように、使用者の用途に応じて様々な使用方法が可能である。
【００２９】
また、吊り枕１０は、枕部５を載置面より上方に配置する構造であるため、災害時や緊急時、またアウトドアなどでの地面の凹凸や、汚れ又はぬかるみなどに枕部５が接触せず、清潔かつ快適に使用することが可能である。
【００３０】
図１０は、本発明の第６の実施形態を示すが、吊り枕１０は、載置部１と、載置部１から所定の間隔をおいて立設する一対の支持部３と、一対の支持部３の間に配置された側枠４と、シート状の枕部５と、を備えた吊り枕１０であって、枕部５は、一対の支持部２及び側枠４に、少なくとも３箇所以上又は連続して接続され、側枠４には一対の支持部３より上方で接続されている。
【００３１】
図１から図１０に示すように、本発明による吊り枕１０は、枕部５の上端が一対の支持部３及び、一対の支持部３より上方の側枠４に、少なくとも３箇所以上又は連続して接続されているため、頭が安定し、首及び肩の負荷が軽減する。そのため、首回りの緊張が緩和されてリラックスでき、さらにその状態で、ゆるやかな運動やストレッチを行うと、体の動きに追従して枕部５及び補助部７はゆるやかに揺動するので、首回りから全身に至る関節の可動域を無理なく広げ、筋肉の凝りを和らげることが可能となる。更に、姿勢を矯正する効果も期待できる。
【００３２】
なお、上記第１の実施形態から第６の実施形態の各構成は、取り付ける事が可能である限り、任意に組み合わせる事が可能である。
【符号の説明】
【００３３】
１  載置部
２  支柱
３  支持部
４  側枠
５  枕部
６  高さ調節具
７  補助部
８１  可動間仕切り
８２  可動間仕切り（カーテン式）
８Ａ  骨部
８Ｂ  覆い部
８Ｃ  カーテン部
９  収納部
１０  吊り枕
【図１】
2016165462.tif 000003
【図２】
2016165462.tif 000004
【図３】
2016165462.tif 000005
【図４】
2016165462.tif 000006
【図５】
2016165462.tif 000007
【図６】
2016165462.tif 000008
【図７】
2016165462.tif 000009
【図８】
2016165462.tif 000010
【図９】
2016165462.tif 000011
【図１０】
2016165462.tif 000012